【手続補正書】
【提出日】平成18年12月6日(2006.12.6)
【手続補正１】
【補正対象書類名】特許請求の範囲
【補正対象項目名】全文
【補正方法】変更
【補正の内容】
【特許請求の範囲】
【請求項１】
ろ過材チャンバと、収容コア、第１導管及び第２導管を有するフィルタ・ヘッドとの間の流体連通を与えるフィルタ・カートリッジの接続端部であって、
前記フィルタ・ヘッドの前記収容コアと係合するように配置され、前記ろ過材チャンバと係合するため末端部と、細長部と、基部端部とを画定している中空のネック部と、
前記ネック部に軸方向に配置され、内部に内側軸方向流路と、前記ネック部内に半径方向に延びる外側軸方向流路とを画定している管状部材と、ここで、前記外側軸方向流路は、前記管状部材の外周部と前記ネック部の内面とにより境界を定められており、前記内側軸方向流路と前記外側軸方向流路とが、前記ネック部を流動する二重の流体流のための独立した通路を与え；
前記ネック部の前記末端部に備えられ、流体流のための管状部材開口と；
前記ネック部の前記細長部に備えられ、流体流のための少なくとも１つの外側軸方向バイパス流路開口と；
前記ネック部の前記末端部に備えられ、流体流のための外側軸方向バイパス流路開口と；
前記ネック部が内部に挿入されるとき、前記ネック部と前記収容コアとの間を水密に保持するため前記基部端部に隣接する前記ネック部の前記細長部の外周に沿って配置される基部側半径方向密封部と；
前記ネック部が内部に挿入されるとき、前記ネック部と前記収容コアとの間を水密に保持するため前記末端部に隣接する前記ネック部の前記細長部の外周に沿って配置される末端側半径方向密封部とを備え、
ここで、前記ネック部が前記収容コアの内部に挿入されるとき、前記基部側半径方向密封部と前記末端側半径方向密封部とは、前記第１導管と前記少なくとも１つの外側軸方向流路開口との間、及び前記第２導管と前記管状部材開口と前記外側軸方向バイパス流路開口との間の流体連通の完全性をそれぞれ維持している、
接続端部。
【請求項２】
（ａ）ろ過材チャンバと、
（ｂ）ろ過材チャンバと組み合う、末端部と、細長部と、基部端部とを画定している中空のネック部と、
（ｃ）前記ネック部に軸方向に配置されると共に前記ろ過材チャンバ内に延在し、内部に内側軸方向流路と、それの外周部と前記ネック部の内面とにより境界を定められる、半径方向に延びる外側軸方向流路とを画定している管状部材と、ここで、前記内側軸方向流路と前記外側軸方向流路とは、前記ネック部と前記ろ過材チャンバを流動する二重の流体流のための独立した通路を与え、
（ｄ）前記ネック部の前記末端部に備えられ、流体流のための管状部材開口と、
（ｅ）前記ネック部の前記細長部に備えられ、流体流のための少なくとも１つの外側軸方向流路開口と、
（ｆ）ネック部の前記末端部に備えられ、流体流のための外側軸方向バイパス流路開口と、
（ｇ）前記ネック部が内部に挿入されるとき、前記ネック部と前記収容コアと間を水密に保持するため前記基部端部に隣接する前記ネック部の前記細長部の外周に沿って配置される基部側半径方向密封部と、
（ｈ）前記ネック部が内部に挿入されるとき、前記ネック部と前記収容コアとの間を水密に保持するため前記末端部に隣接する前記ネック部の前記細長部の外周に沿って配置される末端側半径方向密封部とを備え、
ここで、前記ネック部が前記収容コアと組み合うとき、前記基部側半径方向密封部と前記末端側半径方向密封部とは、前記第１導管と前記少なくとも１つの外側軸方向流路の開口との間、及び前記第２導管と前記管状部材開口と前記外側軸方向バイパス流路開口との間の流体連通の完全性を維持している、
フィルタ・カートリッジ。
【請求項３】
（ａ）（ｉ）ろ過材チャンバと、
（ii）前記ろ過材チャンバと組み合う、末端部と、細長部と、基部端部とを画定している中空のネック部と、
（iii）前記ネック部に軸方向に配置されると共に前記ろ過材チャンバ内に延在し、内側の軸方向流路と、それの外周部と前記ネック部の内面とにより境界を定められる、半径方向に延びる外側軸方向流路とを画定している管状部材と、ここで、前記内側軸方向流路と前記外側軸方向流路とは、前記ネック部と前記ろ過材チャンバとを流動する二重の流体流のための独立した通路を与え、
（iv）前記ネック部の前記末端部に備えられ、流体流のための管状部材開口と、
（ｖ）前記ネック部の前記細長部に備えられ、流体流のための少なくとも１つの外側軸方向流路開口と、
（vi）前記ネック部の前記末端部に備えられ、流体流のための外側軸方向バイパス流路開口と、
（vii）前記ネック部が内部に挿入されるとき、前記ネック部と前記収容コアの間を水密に保つため前記末端部に隣接する前記ネック部の前記細長部の外周に沿って配置される基部側半径方向密封部と、
（viii）前記ネック部が内部に挿入されるとき、前記ネック部と前記収容コアとの間を水密に保つため前記末端部に隣接する前記ネック部の前記細長部の外周に沿って配置される末端側半径方向密封部と、
を備えるフィルタ・カートリッジと、
（ｂ）前記フィルタ・カートリッジの前記ネック部と係合するように配置される収容コア、前記ネック部が前記収容コアの内部に組み合わされるとき、前記ネック部の前記細長部に隣接して位置決めされる前記収容コアと通じる開口を有する第１導管、及び前記ネック部が前記収容コアの内部に組み合わされるとき、前記ネック部の前記末端部に隣接して位置決めされる前記収容コアと通じる開口を有する第２導管を備えるフィルタ・ヘッドとを有し、
ここで、前記基部側及び末端側半径方向密封部が、前記第１導管開口と前記少なくとも１つの外側軸方向流路開口とを流体連通するように前記基部側及び末端側半径方向密封部と前記収容コアとにより境界を定められる、第１の流体溜めと、前記第２導管開口と前記管状部材開口と前記外側軸方向バイパス流路開口とをそれぞれ流体連通するように前記末端側密封部と前記収容コアとにより境界を定められる、第２の流体溜めとを画定している、
フィルタ・カートリッジ及びフィルタ・ヘッド組み立て体。
【手続補正２】
【補正対象書類名】明細書
【補正対象項目名】００２７
【補正方法】変更
【補正の内容】
【００２７】
図２−６に関連して図１を続けて参照すると、実質的に均一な外径のネック部１８は、主ハウジング１２のカバー１６から突出ている。ネック部１８は、カバー１６と接続する基部端部２０と、基部端部２０から軸方向に延在する細長部２２と、末端部２４とにより形成される。好適には、基部端部２０は、カバー１６と共に又は一体に組み合わされる。
【手続補正３】
【補正対象書類名】明細書
【補正対象項目名】００２８
【補正方法】変更
【補正の内容】
【００２８】
一対の密封部が、ネック部の外周に沿って設けられる、内部にＯ−リングを収容するように構成される環状凹部２９内に取り付けられる。この密封部は好ましくはＯ−リングである、基部Ｏ−リング２６と末端Ｏ−リング２８とを備える。末端Ｏ−リング２６及び基部Ｏ−リング２８は、好ましくは弾性、耐久性且つ不活性の材料から製作される。ネック部１８は、少なくとも部分的に中空であり、ハウジング１２の内部に入る軸方向流路を形成する。ネック部１８の軸方向流路は、半径方向内側の軸方向流路３０と半径方向外側の軸方向流路３２とに分離される。この実施例では、半径方向内側の軸方向流路３０は、下側本体部１４の内部に軸方向に延在する管３４で形成されており、これはネック部１８の内面から半方向内側に延在する、正反対に向く、一対の歯状突起３６でネック部１８に支持されている。半径方向外側の軸方向流路３２は、特に、図６に示すように、管３４の外周とネック部１８の内周部とにより画定される。細長部２２の正反対に向く一対の開口、すなわち、開口３８は半径方向外側軸方向流路３２との連通をもたらす。末端部２４に形成される管開口４０は、ネック部１８を通ってハウジングの下側本体部１４に達する第２導管を与える。末端部に形成される第２開口４２は、外側軸方向流路３２との連通をもたらすが、本明細書でバイパス流路開口と称される。好ましくは、バイパス流路開口４２は、中心に穿たれ、又は別の加工法で穿設され、管開口４０に隣接する。
【手続補正４】
【補正対象書類名】図面
【補正対象項目名】図５
【補正方法】変更
【補正の内容】
【図５】
2006514884.tif 000001